(57)【要約】【課題】本考案は、放熱性に優れている照明装置を提供しようとすることをその目的とする。【解決手段】その一端が開口になった取付筒の内壁に突起が形成されて該取付筒の内部空間を内外両室に区切っている上、該外室に、前記突起の外面に止められながら保持されている放熱板と、そのランプを外面で載置した基板を介して前記放熱板に密着するように設置されていて前記開口を通じて筒外へ投光する照明手段と、その内端が前記放熱板の外面と熱伝導よく連続するように内嵌している上、前記照明手段を周りから囲んでいる放熱筒とが取り付けられていることを特徴とする照明装置を提供する。【選択図】        図１
0003131500.tif 000002
【実用新案登録請求の範囲】
【請求項１】
その一端が開口になった取付筒の内壁に突起が形成されて該取付筒の内部空間を内外両室に区切っている上、該外室に、前記突起の外面に止められながら保持されている放熱板と、そのランプを外面で載置した基板を介して前記放熱板に密着するように設置されていて前記開口を通じて筒外へ投光する照明手段と、その内端が前記放熱板の外面と熱伝導よく連続するように内嵌している上、前記照明手段を周りから囲んでいる放熱筒とが取り付けられていることを特徴とする照明装置。
【請求項２】
前記放熱板は、前記基板と大小が同じでその外面が該基板に全面的に遮蔽されており、
また、前記放熱筒は、その内端で前記基板と密着していることを特徴とする請求項1に記載の照明装置。
【請求項３】
前記放熱板は、前記基板より大きくてその外面の前記基板の周りに前記開口に向かっている環状の余裕が残っており、
また、前記放熱筒は、その内端で前記環状の余裕と直接的に密着していることを特徴とする請求項1に記載の照明装置。
【請求項４】
前記外室の内壁に、更に、その突起程度が前記突起より低い突条が前記開口へ向かうように延在して前記突起と階段のようになっており、
前記放熱板は、その内面の周縁部で前記突起と前記突条との間の階段間面と密着しながらその周面で前記突条と密着しており、
また、前記放熱筒は、その外周面で前記突条と密着していることを特徴とする請求項２または３に記載の照明装置。
【請求項５】
前記放熱筒は、その内周面が周りから前記照明手段の輪郭に迫るように突出しており、且つその内外両周面の間の厚さに複数の通孔が軸方向に沿うように開けてある上、その外周面の、前記突条と密着していない部分に、複数の突台があってそれぞれ前記取付筒の、前記突条がない部分に密着していることを特徴とする請求項２または３に記載の照明装置。
【請求項６】
前記突起及び突条は、それぞれ複数あって、前記内壁の周方向に沿って間隔を空けて並んでいることを特徴とする請求項４に記載の照明装置。
【考案の詳細な説明】
【技術分野】
【０００１】
本考案は、照明装置に関し、特に放熱性に優れている照明装置に関する。
【背景技術】
【０００２】
照明装置として、考案者の台湾新型専利（実用新案登録に相当）第Ｍ２９１４９３号に記載されているもの（図７参照）がすでにある。
【０００３】
この照明装置１は、防水型であって、主として、その一端が開口１１１になった取付筒１１の内壁１１２に複数の突起１１３が形成されて該取付筒１１の内部空間を内外両室に区切っている上、該外室に、複数の突起１１３の外面に止められながら保持されている放熱板１２と、そのランプ１３２としての発光ダイオードを外面で載置した基板１３１を介して放熱板１２に密着するように設置されていて開口１１１を通じて取付筒外へ投光する照明手段１３と、開口１１１を封止している防水シール１４１付のガラス板１４とを備えている。
【０００４】
前記のような防水型の照明装置１は、密封的で、ランプ１３２としての発光ダイオードが発光する時、その発熱は熱対流によらずに熱伝導だけにより取付筒１１の内部から外部へ放熱するので、その構成関係により放熱板１２の内面周縁部及び周面をそれぞれ複数の突起１１３の外面及び取付筒１１の内壁に、また前記基板１３１の内面を前記放熱板１２の外面になるべく緊迫的に密着させ、発熱を基板１３１、放熱板１２、そして突起１１３を介してまたは介しなくて取付筒１１から外部へ散逸させなければならない。
【０００５】
しかしながら、前記構成関係により、確かに前記熱伝導の経路になる部品間の緊迫性や密着性、連続性を上げて発熱をより有効的に伝導させることができるが、前記部品間の接触面積は頗る小さいので、熱伝導のボトルネックになり、発熱散逸の有効性がかなり限られる。
【特許文献１】台湾特許第Ｍ２９１４９３号
【考案の開示】
【考案が解決しようとする課題】
【０００６】
前記欠点に鑑みて、本考案は、放熱性に優れている照明装置を提供しようとすることをその目的とする。
【課題を解決するための手段】
【０００７】
前記目的を達成するために、本考案は、その一端が開口になった取付筒の内壁に突起が形成されて該取付筒の内部空間を内外両室に区切っている上、該外室に、前記突起の外面に止められながら保持されている放熱板と、そのランプを外面で載置した基板を介して前記放熱板に密着するように設置されていて前記開口を通じて筒外へ投光する照明手段と、その内端が前記放熱板の外面と熱伝導よく連続するように内嵌している上、前記照明手段を周りから囲んでいる放熱筒とが取り付けられていることを特徴とする照明装置を提供する。
【０００８】
前記放熱筒の内端と前記放熱板の外面との熱伝導よく連続することについて、前記放熱筒の内端と前記放熱板の外面とが一体的になったものを採用することはもちろん、前記放熱筒と前記放熱板とをそれぞれ独立したものとする上、前記放熱筒の内端を前記放熱板の外面に密着させる直接密着法、または、前記基板の内面を前記放熱板の外面に密着させてから、前記放熱筒の内端を前記基板の外面に密着させる、即ち基板を介する間接密着法などの密着法を使用しても良い。
【考案の効果】
【０００９】
前記構造による照明装置では、前記放熱筒が前記外室にその内端が放熱板の外面と熱伝導よく連続しているので、照明手段の発熱は、従来の照明装置の熱伝導経路に加えて、該放熱筒の前記取付筒との大きな接触面積をも伝って従来の照明装置より遥かに有効に散逸することができる。
【考案を実施するための最良の形態】
【００１０】
以下、図面を参照しながら本考案の照明装置の実施形態を説明する。
【００１１】
図１は、本考案の照明装置の一実施形態例の分解斜視図である。図２は、図１の照明装置のキャップだけを取外した組立て時の前面図である。図３は、図２における線３−３に沿う断面図である。図１に示すように、この照明装置は、防水型であって、主として、筐体７と、取付筒２と、放熱板３と、照明手段４と、放熱筒５と、防水シール６０付のガラス板６が取り付けられているものである。取付筒２と筐体７とも円筒形であって互いに二重円筒の内外両筒になっている。取付筒２は、熱伝導性に優れた金属材で製作された、その外壁２３に複数の放熱鰭２３０がついているものであるが、取っ手７１と支持脚７２が設けられている筐体７内に保持されているので、それらを介して携帯されたり安定に設置されたりすることができる。
【００１２】
図面を見ると、取付筒２は、右端が開口２０になっている上、その内壁２１に複数の突起２２が周方向に間隔を開けて一輪に並ぶように形成されて該取付筒２の内部空間を内外両室２０１、２０２に区切っている。外室２０２は、開口２０に臨んでいるものであって、前記放熱板３、照明手段４、放熱筒５、防水シール６０付のガラス板６がすべてその中に取り付けられている。
【００１３】
図面をもっと詳しく見ると、外室２０２の内壁２１に、更に、その突起程度が複数の突起２２より低い複数の突条２４がそれぞれ対応の突起２２から開口２０へ向かうように延在して複数の突起２２と階段のようになっている。各突条２４には、放熱板３、防水シール６０などを係止するための係止溝があけてある。
【００１４】
放熱板３は、その内面３１の周縁部で複数の突起２２と複数の突条２４との間の階段間面２５と密着し、且つ周面３２で突条２４と密着するように設置されている。即ち、放熱板３は、複数の突起２２の外面にそれぞれ止められながら外室２０２内に保持されている。
【００１５】
照明手段４は、そのランプ４０としてのリフレクター付発光ダイオードを外面４１０で載置した基板４１を介して放熱板３に密着し、且つ開口２０を通じて筒外へ投光するように設置されている。また、開口２０は、防水シール６０付のガラス板６に遮蔽されて封止されている。そして、図示の４２は、照明手段４の駆動回路アセンブリ４２であって、熱伝導ペスト４２１により基板４１の内面４１１に密着するように設置されている。
【００１６】
図２と図３を更に参照すると、放熱板３は、基板４１より大きくてその外面３０の基板４１の周りに開口２０に向かっている環状の余裕３０１が残っている。
【００１７】
放熱筒５は、熱伝導性に優れた金属材で製作された円筒形のものであって、その内端５０が放熱板３の環状の余裕３０１と直接的に密着し、即ち放熱板３の外面３０と熱伝導よく連続するように外室２０２に内嵌している上、照明手段４を周りから囲んでいる。
【００１８】
最後に、図示の８は、外側の方から防水シール６０、ガラス板６、放熱筒５、そして放熱板３をしっかりと複数の突起２２の外面に押し付けるために、取付筒２の開口２０縁に脱着可能に螺着されているキャップ８である。
【００１９】
図４は、図１の照明装置の第１変形例の部分断面図である。
【００２０】
この第１変形例の照明装置の構成は、図１の照明装置のとほぼ同じだが、その相違点は、放熱板３Ａは、基板４１Ａと大小が同じでその外面３０Ａが該基板４１Ａに全面的に遮蔽されており、また、放熱筒５Ａは、その内端５０Ａで４１Ａ基板と密着していることにある。
【００２１】
図５は、図１の照明装置の第２変形例のキャップだけを取外した組立て時の前面図である。
【００２２】
この第２変形例の照明装置の構成は、図１の照明装置のとほぼ同じだが、その相違点は、放熱筒５Ｂは、その内周面５１Ｂが周りから照明手段４Ｂの輪郭に迫るように突出しており、且つその内外両周面５１Ｂ、５２Ｂの間の厚さに複数の通孔５３Ｂが軸方向に沿うように開けてあることにある。
【００２３】
図６は、図１の照明装置の第３変形例のキャップだけを取外した組立て時の前面図である。
【００２４】
この第３変形例の照明装置の構成は、図５の照明装置のとほぼ同じだが、その相違点は、放熱筒５Ｃは、通孔５３Ｃが開けてある上、その外周面５２Ｃの、突条２４Ｃと密着していない部分に、複数の突台２６Ｃがあってそれぞれ取付筒２Ｃの、突条２４Ｃがない部分に密着していることにある。（図６において、取付筒２Ｃと放熱筒５Ｃとをはっきり見分けるために、僅かな隙間があるように描いて示している）
以上、本考案の好適な実施形態について説明したが、本考案は前記実施形態に限定して狭義に解釈されるものではなく、本考案の思想の範囲内において種々の変形や変更が可能である。
【産業上の利用可能性】
【００２５】
以上、実施形態で詳細に説明したように、本考案の照明装置は、従来の照明装置の熱伝導経路に加えて、該放熱筒の前記取付筒との大きな接触面積をも伝って従来の照明装置より遥かに有効に散逸することができる。
【図面の簡単な説明】
【００２６】
【図１】本考案の照明装置の一実施形態例の分解斜視図。
【図２】図１の照明装置のキャップだけを取外した組立て時の前面図。
【図３】図２における線３−３に沿う断面図。
【図４】図１の照明装置の第１変形例の部分断面図。
【図５】図１の照明装置の第２変形例のキャップだけを取外した組立て時の前面図。
【図６】図１の照明装置の第３変形例のキャップだけを取外した組立て時の前面図。
【図７】従来の照明装置の一例の分解斜視図
【符号の説明】
【００２７】
２    取付筒
２０    開口
２０１    内室
２０２    外室
２１    内壁
２２    突起
２３    外壁
２４、２４Ｃ    突条
２５    階段間面
２６Ｃ    突台
２３０    放熱鰭
３、３Ａ    放熱板
３０、３０Ａ    外面
３０１    環状の余裕
３１    内面
３２    周面
４、４Ｂ    照明手段
４０    ランプ
４１、４１Ａ    基板
４１０    外面
４１１    内面
４２    駆動回路アセンブリ
４２１    熱伝導ペスト
５、５Ａ、５Ｂ、５Ｃ    放熱筒
５０、５０Ａ    内端
５１Ｂ    内周面
５２Ｂ、５２Ｃ    外周面
５３Ｂ、５３Ｃ    通孔
６    ガラス
６０    防水シール
７    筐体
７１    取っ手
７２    支持脚
８      キャップ
【図１】
0003131500.tif 000003
【図２】
0003131500.tif 000004
【図３】
0003131500.tif 000005
【図４】
0003131500.tif 000006
【図５】
0003131500.tif 000007
【図６】
0003131500.tif 000008
【図７】
0003131500.tif 000009